(57)【要約】【課題】患者に対する医師の説明に解説を付与する医療支援システム及びその解説提供方法を提供する。【解決手段】患者に対する音声データ形式の説明情報を取得し、その説明情報を解析して文字データ形式に置き換える。予め、用語とその解説文とを対応づけた解説用辞書を予め記憶しておき、文字データ形式の説明情報に含まれる各用語と解説用辞書とを比較して、説明情報とこの説明情報に含まれている用語に対応する解説文とから解説付説明情報を生成する。そして、この解説付説明情報を出力する。【選択図】図１
2010072786.tif 000002
【特許請求の範囲】
【請求項１】
患者に対する音声データ形式の説明情報を取得する取得手段と、
前記説明情報を解析して文字データ形式に置き換える音声認識手段と、
用語とその解説文とを対応づけた解説用辞書を予め記憶する辞書記憶手段と、
前記文字データ形式の前記説明情報に含まれる各用語と前記解説用辞書とを比較して、前記説明情報とこの説明情報に含まれている用語に対応する前記解説文とから解説付説明情報を生成する生成手段と、
前記解説付説明情報を出力する出力手段と、
を備えること、
を特徴とする医療支援システム。
【請求項２】
前記生成手段は、
前記説明情報に含まれる各用語を抽出し、抽出した用語に対応する解説文を前記解説用辞書から読み出し、前記読み出した解説文を前記用語に関連づけて前記説明情報に付加することで、前記解説付説明情報を生成すること、
を特徴とする請求項１記載の医療支援システム。
【請求項３】
前記取得手段と前記音声認識手段と前記出力手段とを有する送受信端末と、
前記辞書記憶手段と前記生成手段とを有し、前記送受信端末と送受信可能にネットワークに接続されたサーバと、
を備えること、
を特徴とする請求項１記載の医療支援システム。
【請求項４】
前記解説用辞書は、
医師及び疾病毎に記憶されるとともに、医師識別情報及び疾病識別情報に関連づけられて前記記憶手段に記憶され、
前記生成手段は、
前記医師識別情報及び前記疾病識別情報に基づき前記解説用辞書を選択する辞書選択手段を含むこと、
を特徴とする請求項１記載の医療支援システム。
【請求項５】
前記辞書選択手段は、
医師と疾病を表わす用語を前記文字データ形式の前記説明情報から検索し、該当する前記医師識別情報及び前記疾病識別情報に関連づけられた前記解説用辞書を選択すること、
を特徴とする請求項４記載の医療支援システム。
【請求項６】
前記医師識別情報と前記疾病識別情報の入力操作を受け付ける操作手段を更に備え、
前記辞書選択手段は、
前記操作手段で入力された前記医師識別情報と前記疾病識別情報とに関連づけられた前記解説用辞書を選択すること、
を特徴とする請求項４記載の医療支援システム。
【請求項７】
前記音声認識手段は、
開始と終了を示すキーワードを予め記憶し、前記説明情報を解析してそのキーワードで挟まれる範囲を文字データ形式に置き換えること、
を特徴とする請求項１記載の医療支援システム。
【請求項８】
前記音声認識手段は、
キーワードを予め記憶し、前記説明情報を解析してそのキーワードが含まれる一文を文字データ形式に置き換えること、
を特徴とする請求項１記載の医療支援システム。
【請求項９】
前記取得手段は、
前記説明情報を集音するマイクを含むこと、
を特徴とする請求項１記載の医療支援システム。
【請求項１０】
前記取得手段は、
前記音声データ形式の説明情報を記憶する説明情報記憶手段を含むこと、
を特徴とする請求項１記載の医療支援システム。
【請求項１１】
前記出力手段は、
前記生成手段が生成した文字データ形式の前記解説付説明情報を音声データ形式に変換する変換手段と、
前記変換手段で変換された前記解説付説明情報を音声出力するスピーカと、
を含むこと、
を特徴とする請求項１記載の医療支援システム。
【請求項１２】
前記生成手段が生成した前記解説付説明情報を記憶する解説付説明情報記憶手段を更に備え、
前記出力手段は、
前記解説付説明情報記憶手段が記憶した前記解説付説明情報を読み出して出力すること、
を特徴とする請求項１記載の医療支援システム。
【請求項１３】
患者に対する音声データ形式の説明情報を取得する第１のステップと、
前記説明情報を解析して文字データ形式に置き換える第２のステップと、
用語とその解説文とを対応づけた解説用辞書に基づき、前記文字データ形式の前記説明情報に含まれる各用語と前記解説用辞書とを比較して、前記説明情報とこの説明情報に含まれている用語に対応する前記解説文とから解説付説明情報を生成する第３のステップと、
前記解説付説明情報を出力する第４のステップと、
を有すること、
を特徴とする解説提供方法。
【請求項１４】
前記第３のステップは、
前記説明情報に含まれる各用語を抽出するステップと、
抽出した用語に対応する解説文を前記解説用辞書から読み出すステップと、
前記読み出した解説文を前記用語に関連づけて前記説明情報に付加することで、前記解説付説明情報を生成するステップと、
を含むこと、
を特徴とする請求項１３記載の解説提供方法。
【発明の詳細な説明】
【技術分野】
【０００１】
この発明は、患者に対する医師の説明に解説を付与する医療支援システム及びその解説提供方法に関する。
【背景技術】
【０００２】
医療において、患者と医師との意志疎通は、的確な病状把握や治療方針の決定やインフォームドコンセントに重要である。医師は、患者に問診や病状説明等のコミュニケーションを図り、患者に理解を求める。
【０００３】
医師による説明は、いくつかの原因により理解困難となることがある。その一つの原因としては、医師と患者の理解可能な言語が異なる場合である。そのため、従来より、医師の使用する言語を話しまた理解することができない外国人が病院にかかる際にも簡単な問診を受けることができ、患者と医師の双方で問診の会話を簡略化することのできる翻訳システムが提案されている（例えば、「特許文献１」参照。）。この技術は、問診票を予め記憶している翻訳用の辞書で翻訳するものである。これにより、言語の相違から生じる意志疎通の障害を解消することができる。
【０００４】
しかし、そのほか、意志疎通の障害として考えられる原因としては、そもそも医師の使用する医用用語が難解であり、その用語の意味が理解できないことがある。この場合、単なる翻訳によっては、意志疎通の障害を解消することができない。そこで、医師は患者に対して理解可能な用語を用いてわかりやすく説明する必要があるが、その分医師の負担も大きくなる。
【０００５】
【特許文献１】特開２００４−３１０６９３号公報
【発明の開示】
【発明が解決しようとする課題】
【０００６】
この発明は、上述のような問題点に鑑みてなされたものであり、その目的とするところは、患者に対する医師の説明に解説を付与する医療支援システム及びその解説提供方法を提供することにある。
【課題を解決するための手段】
【０００７】
上記課題を解決するために、請求項１記載の本発明に係る医療支援システムは、患者に対する音声データ形式の説明情報を取得する取得手段と、前記説明情報を解析して文字データ形式に置き換える音声認識手段と、用語とその解説文とを対応づけた解説用辞書を予め記憶する辞書記憶手段と、前記文字データ形式の前記説明情報に含まれる各用語と前記解説用辞書とを比較して、前記説明情報とこの説明情報に含まれている用語に対応する前記解説文とから解説付説明情報を生成する生成手段と、前記解説付説明情報を出力する出力手段と、を備えること、を特徴とする。
【０００８】
前記生成手段は、前記説明情報に含まれる各用語を抽出し、抽出した用語に対応する解説文を前記解説用辞書から読み出し、前記読み出した解説文を前記用語に関連づけて前記説明情報に付加することで、前記解説付説明情報を生成するようにしてもよい（請求項２記載の発明に相当）。
【０００９】
前記取得手段と前記音声認識手段と前記出力手段とを有する送受信端末と、前記辞書記憶手段と前記生成手段とを有し、前記送受信端末と送受信可能にネットワークに接続されたサーバと、を備えるようにしてもよい（請求項３記載の発明に相当）。
【００１０】
前記解説用辞書は、医師及び疾病毎に記憶されるとともに、医師識別情報及び疾病識別情報に関連づけられて前記記憶手段に記憶され、前記生成手段は、前記医師識別情報及び前記疾病識別情報に基づき前記解説用辞書を選択する辞書選択手段を含むようにしてもよい（請求項４記載の発明に相当）。
【００１１】
前記辞書選択手段は、医師と疾病を表わす用語を前記文字データ形式の前記説明情報から検索し、該当する前記医師識別情報及び前記疾病識別情報に関連づけられた前記解説用辞書を選択するようにしてもよい（請求項５記載の発明に相当）。
【００１２】
前記医師識別情報と前記疾病識別情報の入力操作を受け付ける操作手段を更に備え、前記辞書選択手段は、前記操作手段で入力された前記医師識別情報と前記疾病識別情報とに関連づけられた前記解説用辞書を選択するようにしてもよい（請求項６記載の発明に相当）。
【００１３】
音声認識手段は、開始と終了を示すキーワードを予め記憶し、前記説明情報を解析してそのキーワードで挟まれる範囲を文字データ形式に置き換えるようにしてもよい（請求項７記載の発明に相当）。
【００１４】
音声認識手段は、キーワードを予め記憶し、前記説明情報を解析してそのキーワードが含まれる一文を文字データ形式に置き換えるようにしてもよい（請求項８記載の発明に相当）。
【００１５】
前記取得手段は、前記説明情報を集音するマイクを含むようにしてもよい（請求項９記載の発明に相当）。
【００１６】
前記取得手段は、前記音声データ形式の説明情報を記憶する説明情報記憶手段を含むようにしてもよい（請求項１０記載の発明に相当）。
【００１７】
前記出力手段は、前記生成手段が生成した文字データ形式の前記解説付説明情報を音声データ形式に変換する変換手段と、前記変換手段で変換された前記解説付説明情報を音声出力するスピーカと、を含むようにしてもよい（請求項１１記載の発明に相当）。
【００１８】
前記生成手段が生成した前記解説付説明情報を記憶する解説付説明情報記憶手段を更に備え、前記出力手段は、前記解説付説明情報記憶手段が記憶した前記解説付説明情報を読み出して出力するようにしてもよい（請求項１２記載の発明に相当）。
【００１９】
また、上記課題を解決するために、請求項１３記載の本発明に係る解説提供方法は、患者に対する音声データ形式の説明情報を取得する第１のステップと、前記説明情報を解析して文字データ形式に置き換える第２のステップと、用語とその解説文とを対応づけた解説用辞書に基づき、前記文字データ形式の前記説明情報に含まれる各用語と前記解説用辞書とを比較して、前記説明情報とこの説明情報に含まれている用語に対応する前記解説文とから解説付説明情報を生成する第３のステップと、前記解説付説明情報を出力する第４のステップと、を有すること、を特徴とする。
【００２０】
前記第３のステップは、前記説明情報に含まれる各用語を抽出するステップと、抽出した用語に対応する解説文を前記解説用辞書から読み出すステップと、前記読み出した解説文を前記用語に関連づけて前記説明情報に付加することで、前記解説付説明情報を生成するステップと、を含むようにしてもよい（請求項１４記載の発明に相当）。
【発明の効果】
【００２１】
本発明によれば、患者にとっては、各種の医用用語が含まれることにより難解であった医師等の説明を、その医用用語の解説が加えられた説明として受け取ることができるので、説明を容易に理解することが可能となる。
【発明を実施するための最良の形態】
【００２２】
以下、本発明に係る医療支援システムとその解説提供方法の好適な実施形態について、図面を参照しながら具体的に説明する。
【００２３】
図１は、医療支援システムの構成を示す図である。医療支援システム１は、医師等が発話した患者への説明を説明情報として音声認識し、その説明情報に対する解説を加えた解説付説明情報を生成するものである。解説付説明情報は、説明情報にその説明に対する解説を加えたものである。
【００２４】
この医療支援システム１は、送受信端末２とサーバ３とから構成される。送受信端末２とサーバ３とは、無線や有線によるネットワークによって通信可能に接続される。サーバ３は、文字データ形式の説明情報を解析して、解説付説明情報を生成する。送受信端末２は、説明情報を音声データ形式で取得し、音声データを文字データに変換する。また、送受信端末２は、解説付説明情報を表示する。
【００２５】
この送受信端末２は、例えば、患者が所有する携帯電話やＰＤＡやノートパソコン等の携帯端末である。この送受信端末２には、説明情報を音声データ形式で取得するマイク２１ａと、音声データを解析して文字データに変換する音声認識処理部２２と、サーバ３と通信を行う送受信部２３と、解説付説明情報を表示するモニタ２４ａとが備えられている。
【００２６】
サーバ３は、例えば、地域ごとに設置され、その地域の患者の電子カルテを蓄積しているＥＨＲ（Electronic Health Record）である。このサーバ３には、送受信端末２と説明情報及び解説付説明情報の通信を行う送受信部３１と、解説付説明情報を生成する生成部３２と、後述する解説用辞書５を記憶する辞書記憶部３３とが備えられている。
【００２７】
医療支援システム１では、医者等が発話した患者に対する説明情報をマイク２１ａで集音することで、音声データ形式で説明情報を取得する。即ち、マイク２１ａは、音声データ形式で説明情報を取得する取得手段である。取得された説明情報は、音声認識処理部２２で解析され、文字データ形式に置き換えられる。この文字データ形式への置き換えの際に、説明情報の文章を箇条書きに置き換えるようにしてもよい。音声認識処理部２２は、各種の語句に対応した音響モデルを記憶しており、音響モデルを説明情報とマッチングさせ、マッチした箇所を対応する語句の文字データに置き換える。
【００２８】
文字データ形式の説明情報は、送受信部２３によるサーバ３に送信される。サーバ３では、送受信部３１により説明情報を受信する。この送受信端末２とサーバ３との通信は、ＴＣＰ／ＩＰ上のソケット通信によりプロトコルで行う。また、ＲＰＣ（Remote Procedure Call）やＳＯＡＰ（Simple Object Access Protocol）、ＩＩＯＰ（Internet Inter-ORB Protocol）、ＲＭＩ(Remote Method Invocation)などの標準化された通信プロトコルを用いてもよい。また、ＳＳＬ（Secure Socket Layer）／ＴＬＳ（Transport Layer Security）等の暗号化通信としてもよい。
【００２９】
サーバ３では、受信された説明情報が生成部３２に入力される。生成部３２は、辞書記憶部３３に記憶された解説用辞書５を参照して説明情報を解析し、解説付説明情報を生成する。生成された解説付説明情報は送受信部３１により送受信端末２に送信される。
【００３０】
送受信端末２では、送受信部２３により解説付説明情報を受信する。モニタ２４ａは、液晶ディスプレイや有機ＥＬディスプレイであり、受信した解説付説明情報を表示する。
【００３１】
図２乃至図６は、生成部３２による解説付説明情報の生成を詳細に示している。図２は、生成部３２の詳細構成を示す図である。図２に示すように、生成部３２は、辞書選択部３２１と抽出部３２２と検索部３２３と編集処理部３２４とを備える。
【００３２】
抽出部３２２は、文字データ形式の説明情報から用語を抽出する。抽出部３２２は、説明情報を１文毎に区切り、文単位で用語を抽出する。文の区切りについては、抽出部３２２は、読点を目印とする。用語の抽出については、抽出部３２２は、予め各種の用語データを記憶しており、１文中に用語データとマッチする用語が存在するか検索する。用語には、単語、語句、文節を含む。例えば、「病名」、「病名は」、「咽頭」、「咽頭結膜熱」、「咽頭結膜熱である」、「病名は咽頭結膜熱」、「病名は咽頭結膜熱である」等の用語データが予め記憶され、説明情報に「病名は咽頭結膜熱である」との文があれば、「病名」、「病名は」、「咽頭」、「咽頭結膜熱」、「咽頭結膜熱である」、「病名は咽頭結膜熱」、「病名は咽頭結膜熱である」等のように各種パターンで用語を抽出していく。
【００３３】
辞書選択部３２１は、辞書記憶部３３から解析に用いる解説用辞書５を選択する。解説用辞書５は、医師、疾病、及びその医師が属する病院毎に辞書記憶部３３に記憶されている。辞書選択部３２１は、図３に示す辞書選択テーブル４を予め記憶しており、この辞書選択テーブル４を参照して、説明情報が示す病院、医師、及び疾病に対応する解説用辞書５を選択する。
【００３４】
図３に示すように、辞書選択テーブル４には、選択情報４１と解説用辞書特定情報４２とが関連づけられている。解説用辞書特定情報４２は、解説用辞書５を特定する情報である。選択情報４１は、解説用辞書５を選択するための情報である。選択情報４１は、病院識別情報４１１と、医師識別情報４１２と、疾病識別情報４１３とからなる。辞書選択部３２１は、説明情報から選択情報４１を取得し、その選択情報４１に関連づけられている解説用辞書特定情報４２が特定する解説用辞書５を選択する。
【００３５】
説明情報からの選択情報４１の取得において、辞書選択部３２１は、抽出部３２２が抽出した各用語から、病院識別情報４１１となる病院名、医師識別情報４１２となる医師名、及び疾病識別情報４１３となる疾病名を探索し、これらを選択情報４１とする。具体的には、辞書選択テーブル４に記憶されている選択情報４１と抽出された用語とがマッチするか確認していく。
【００３６】
そして、辞書選択部３２１は、マッチした選択情報４１に関連づけられている解説用辞書特定情報４２を読み出す。さらに、辞書選択部３２１は、解説用辞書特定情報４２で特定される解説用辞書５を辞書記憶部３３から読み出す。
【００３７】
検索部３２３は、読み出された解説用辞書５を用いて、抽出された各用語に対応する解説文５２を検索する。図４は、解説用辞書５のデータ構造を示す図である。解説用辞書５には、各種の登録用語５１とその登録用語５１を解説した解説文５２とが対応づけられている。検索部３２３を抽出された用語と合致する登録用語５１を解説用辞書５から検索し、該当する登録用語５１が存在すれば、それに対応する解説文５２を取得する。
【００３８】
編集処理部３２４は、説明情報を編集して解説付説明情報を生成する。この編集処理部３２４は、検索部３２３で取得された解説文５２とその解説文５２が解説する用語が含まれる１文とを組み合わせた１文を作成する。
【００３９】
このような生成部３２の解説付説明情報の生成を図４乃至図６に基づき具体的に説明する。
【００４０】
図５に示すように、説明情報から選択情報４１としてＡＡ病院（図中(1)）とＨ．Ｔ医師（図中(2)）と咽頭結膜熱（図中(3)）とが抽出されると、図４に示す辞書選択テーブル４からこれら選択情報４１と対応づけられている解説用辞書特定情報４２としてＡＡ＿ＨＴ＿咽頭結膜熱が読み出される。そして、その解説用辞書特定情報４２で特定される図６に示すような解説用辞書５が選択される。
【００４１】
例えば、アデノウィルス（図中(7)）という用語が説明情報から抽出されると、アデノウィルスという登録用語５１に対応する「扁桃腺やリンパ節に潜んで増えるウィルス」という解説文５２が解説用辞書５から読み出される。そして、図６に示すように、アデノウィルスという用語を含む１文にこの解説文５２（図中(17)）を組み合わせた一文が生成される。この一文は、例えば、説明情報の文末を「ので、」等の接続詞に置き換え、その後に解説文５２を挿入する。この他、解説付説明情報としては、解説文５２を括弧で閉じた一連の文字列データを対応する用語の後に挿入するようにしてもよい。
【００４２】
このような医療支援システム１の動作を図７に示す。
【００４３】
まず、送受信端末２側では、マイク２１ａにより説明情報が音声データ形式で集音される（Ｓ０１）。説明情報が取得されると、音声認識処理部２２は、音声データ形式の説明情報を文字データ形式に置き換える（Ｓ０２）。説明情報が文字データ形式に変換されると、送受信部２３は、文字データ形式の説明情報をサーバ３に送信する（Ｓ０３）。
【００４４】
サーバ３側では、説明情報を受信すると（Ｓ０４）、抽出部３２２は、選択情報４１を取得していなければ（Ｓ０５，Ｎｏ）、説明情報から選択情報４１を取得する（Ｓ０６）。説明情報を取得すると、辞書選択部３２１は、辞書選択テーブル４を参照して、選択情報４１に対応する解説用辞書特定情報４２を検索し（Ｓ０７）、該当する解説用辞書特定情報４２で特定される解説用辞書５を辞書記憶部３３から取得する（Ｓ０８）。
【００４５】
選択情報４１を取得していれば（Ｓ０５，Ｙｅｓ）、抽出部３２２は、説明情報から読点までの１文を取り出し（Ｓ０９）、その１文から用語を抽出する（Ｓ１０）。検索部３２３は、抽出された用語に対応する解説文５２を解説用辞書５から検索する（Ｓ１１）。解説文５２が検索されると、編集処理部３２４は、該当する解説文５２と抽出された登録用語５１を含む１文とを組み合わせた文を生成する（Ｓ１２）。
【００４６】
全ての行についてＳ０９〜Ｓ１２が終了していなければ（Ｓ１３，Ｎｏ）、次の行を説明情報から取り出し、Ｓ０９〜Ｓ１２を繰り返す。
【００４７】
全ての行についてＳ０９〜Ｓ１２が終了していれば（Ｓ１３，Ｙｅｓ）、編集処理部３２４は、組み合わせた各文を纏めた解説付説明情報を生成する（Ｓ１４）。
【００４８】
送受信部３１は、生成された解説付説明情報を送受信端末２に送信する（Ｓ１５）。送受信端末２側では、送受信部２３が解説付説明情報を受信すると（Ｓ１６）、受信した解説付説明情報をモニタ２４ａに表示する（Ｓ１７）。
【００４９】
これにより、患者にとっては、各種の医用用語が含まれることにより難解であった医師等の説明を、その医用用語の解説が加えられた説明として受け取ることができるので、説明を容易に理解することが可能となる。
【００５０】
また、送受信端末２側で予め文字データ形式に変換してからサーバ３に送信しているので、送信量の削減を図ることができる。さらに、送信量の削減を図るために、医師が発話した音声の全てではなく、一部の音声のみを説明情報として文字データ形式に置き換えるようにしてもよい。図８は、更なる送信量の削減を図るための医療支援システム１の変形例を示す図である。
【００５１】
図８に示すように、送受信端末２は、キーワード記憶部２２１を有している。キーワード記憶部２２１には、開始を示すキーワードと、終了を示すキーワードとが記憶されている。音声認識処理部２２は、説明情報を一端文字データ形式に変換した後、開始を示すキーワードと終了を示すキーワードとを説明情報から検索する。該当するキーワードが見つかると、そのキーワードで挟まれる範囲のみを抽出し、その抽出された範囲を説明情報として送受信部２３に出力する。
【００５２】
また、キーワード記憶部２２１には、各種の医用用語がキーワードとして記憶されていてもよい。音声認識処理部２２は、説明情報を一端文字データ形式に変換した後、キーワード記憶部２２１に記憶されているキーワードを含む文のみを抽出し、その抽出された文の集合を説明情報として送受信部２３に出力する。
【００５３】
以上によれば、解説が必要とする範囲のみを説明情報としてサーバ３に送信することができるので、更なる送信量の削減を図ることができる。
【００５４】
また、解説付説明情報の出力態様としては、モニタ２４ａへの表示の他、音声出力するようにしてもよい。即ち、図９に示すように、送受信端末２は、モニタ２４ａに代えてスピーカ２４ｂと変換部２４ｃとからなる出力手段を有するようにしてもよい。
【００５５】
変換部２４ｃは、文字データ形式の解説付説明情報を音声データ形式に変換する。この変換部２４ｃも音声認識処理部２２と同様に音響モデルと用語の対応付けを予め記憶しており、解説付説明情報に含まれる用語を対応づけられている音響モデルに置き換える。スピーカ２４ｂは、音声データ形式の解説付説明情報を音声出力する。
【００５６】
そのほか、出力手段としては、他の機器と通信可能な送受信装置や、ＣＤ−Ｒ等の可搬記憶媒体に書き込み可能なメディアドライブであってもよい。
【００５７】
また、図１０に示すように、マイク２１ａで説明情報を集音するほか、予め説明情報を記憶しているメモリ２１ｂを取得手段として有し、そのメモリ２１ｂから説明情報が音声認識処理部２２に出力されるようにしてもよい。
【００５８】
さらに、図１１に示すように、送受信端末２には、フラッシュメモリ等の不揮発性記憶媒体である解説付説明情報記憶部２６を備えるようにし、送受信部２３で受信した解説付説明情報を一端記憶させておき、操作に応じて読み出してモニタ２４ａ等の出力手段に出力するようにしてもよい。
【００５９】
また、生成部３２では解説用辞書５を選択する際に、説明情報に含まれる選択情報４１を参照したが、その他、ボタンやタッチパネル等の文字入力が可能な操作部２５を送受信端末２に備えるようにし、操作部２５によって入力された選択情報４１を参照するようにしてもよい。送受信端末２では、説明情報に加え、操作部２５を用いて入力された選択情報４１をともにサーバ３に送信する。辞書選択部３２１は、受信した選択情報４１に関連づけられている解説用辞書特定情報４２を辞書選択テーブル４から取得し、その解説用辞書特定情報４２で特定される解説用辞書５を選択する。
【００６０】
このような医療支援システム１では、送受信端末２として携帯端末を例に説明したが、医師が電子カルテを閲覧する際に使用するデスクトップＰＣであってもよい。また、このデスクトップＰＣにサーバ３の本実施形態の機能を適用するようにしてもよい。
【図面の簡単な説明】
【００６１】
【図１】医療支援システムの構成を示す図である。
【図２】生成部の詳細構成を示す図である。
【図３】辞書選択テーブルの一例を示す図である。
【図４】解説用辞書の一例を示す図である。
【図５】説明情報の一例を示す図である。
【図６】解説付説明情報の一例を示す図である。
【図７】医療支援システムの動作を示すフローチャートである。
【図８】医療支援システムの第１の変形例を示す図である。
【図９】医療支援システムの第２の変形例を示す図である。
【図１０】医療支援システムの第３の変形例を示す図である。
【図１１】医療支援システムの第４の変形例を示す図である。
【図１２】医療支援システムの第５の変形例を示す図である。
【符号の説明】
【００６２】
１  医療支援システム
２  送受信端末
２１ａ  マイク
２１ｂ  メモリ
２２  音声認識処理部
２２１  キーワード記憶部
２３  送受信部
２４ａ  モニタ
２４ｂ  スピーカ
２４ｃ  変換部
２５  操作部
２６  解説付説明情報記憶部
３  サーバ
３１  送受信部
３２  生成部
３２１  辞書選択部
３２２  抽出部
３２３  検索部
３２４  編集処理部
３３  辞書記憶部
４  辞書選択テーブル
４１  選択情報
４１１  病院識別情報
４１２  医師識別情報
４１３  疾病識別情報
４２  解説用辞書特定情報
５  解説用辞書
５１  用語
５２  解説文
【図１】
2010072786.tif 000003
【図２】
2010072786.tif 000004
【図３】
2010072786.tif 000005
【図４】
2010072786.tif 000006
【図５】
2010072786.tif 000007
【図６】
2010072786.tif 000008
【図７】
2010072786.tif 000009
【図８】
2010072786.tif 000010
【図９】
2010072786.tif 000011
【図１０】
2010072786.tif 000012
【図１１】
2010072786.tif 000013
【図１２】
2010072786.tif 000014